(57)【特許請求の範囲】
【請求項１】
アクセスポイントと無線ＬＡＮ端末間で音声信号を送受信する無線ＬＡＮにおける伝送誤り改善方式であって、単位時間内で無線が送受信される時間を測定し、該時間が短い場合には上記の音声信号を少なくとも１度再送し、該時間が長い場合は音声信号を再送しない
ことを特徴とする無線ＬＡＮにおける伝送誤り改善方式。
【請求項２】
アクセスポイントと無線ＬＡＮ端末間で音声信号を送受信する無線ＬＡＮを構成するアクセスポイントにおいて、
単位時間内で無線が送受信される時間を測定する手段と、
単位時間内で無線が送受信される時間が予め定めた閾値より大きいか否かを判断する手段と、
前記時間が前記閾値より小さい場合には上記音声信号を前記無線ＬＡＮ端末に少なくとも１度再送し、前記時間が前記閾値より大きい場合は上記音声信号を再送しないように切替える手段と、
を持つことを特徴とするアクセスポイント。
【請求項３】
アクセスポイントと無線ＬＡＮ端末間で音声信号を送受信する無線ＬＡＮを構成するアクセスポイントにおいて、
単位時間内で無線が送受信される時間を測定する手段と、
単位時間内で無線が送受信される時間が予め定めた閾値より大きいか否かを判断する手段と、
前記無線ＬＡＮ端末から受信した音声信号の伝送誤りの有無を判定する手段と、
前記時間が前記閾値より小さい場合には上記伝送誤りがある音声信号を送信した無線ＬＡＮ端末に再送要求を送信し、前記時間が前記閾値より大きい場合は上記再送要求を送信しないように切替える手段と、
を持つことを特徴とするアクセスポイント。
【発明の詳細な説明】
【技術分野】
【０００１】
本発明は、無線ＬＡＮ（Ｌｏｃａｌ  Ａｒｅａ  Ｎｅｔｗｏｒｋ）等の無線通信方式に係り、特に、アクセスポイント（以降、ＡＰということがある）と複数の無線ＬＡＮ端末間の無線通信において、伝送誤りが発生した時の音声品質劣化を防止するために再送するための伝送誤り改善方式およびアクセスポイントならびに無線ＬＡＮ端末に関する。
【背景技術】
【０００２】
近年、コンピュータ通信ネットワークの一つとして、無線ＬＡＮが普及し、オフィス、家庭、市街地（例えば、駅、空港、ファーストフード店）等において、盛んに利用されている。周知のように、このような無線ＬＡＮでは、アクセスポイントと呼ばれる無線ＬＡＮ接続装置と無線ＬＡＮ端末間で無線通信する。そして、多くの無線ＬＡＮは、データリンク層のプロトコルとして、国際標準の一つであるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１が用いられ、また、ネットワーク層のプロトコルとして、ＩＰ（Ｉｎｔｅｒｎｅｔ  Ｐｒｏｔｏｃｏｌ）が用いられている。
【０００３】
周知のように、無線ＬＡＮでは、ＡＰと呼ばれる中央装置と複数の無線ＬＡＮ端末間を無線で通信する。最近無線ＬＡＮでは、データの他に音声も伝送するようになってきた。データは一般にＴＣＰ方式と呼ばれるプロトコルを用い、伝送誤りが発生したら再送するなどにより、無線上で伝送誤りが発生する場合でも、結果的に高品質の伝送を確保している。
【発明の開示】
【発明が解決しようとする課題】
【０００４】
それに対して、音声は、周知のように実時間信号であり、伝送誤りに対する対策よりも遅延時間の防止を優先するために、誤り再送しないＵＤＰ方式と呼ばれるプロトコルで伝送される場合が多い。このため、音声信号に伝送誤りが発生すると、音切れや異常な音となる。
【０００５】
音声信号も再送すれば伝送誤りの影響を軽減できることが知られる。しかし再送すると無線で送受信する時間が長くなり、同時に通信できる無線ＬＡＮ端末数が少なくなる問題が有る。
【０００６】
ところで、音声信号は、例えば２０ｍｓ周期で伝送される。音声を伝送する無線ＬＡＮ端末の台数が多い場合は、上記２０ｍｓ中の大部分の時間で、音声信号が無線で送受信される。しかし、台数が少ない場合は無線で送受信するべき音声信号も少なく、上記２０ｍｓ中の多くの時間が無線で送受信されない。このような場合に限れば、再送によって同時通信可能な無線ＬＡＮ端末数は、減少しない。
【０００７】
同時通話の無線ＬＡＮ端末数が少ない場合は無線の空いている時間に再送することにより、音声信号に対する伝送誤りの影響を軽減し、無線ＬＡＮ端末数が多くなり、無線が空いている時間が少なくなった場合は再送しないことにより、同時通話可能な無線ＬＡＮ端末数の最大値を大きく確保できる無線ＬＡＮにおける伝送誤り改善方式およびアクセスポイントならびに無線ＬＡＮ端末を提供する。
【課題を解決するための手段】
【０００８】
上記を考慮して本発明は、音声信号を送受信する無線ＬＡＮにおいて、アクセスポイントと無線ＬＡＮ端末間で音声信号を送受信する手段、単位時間内で無線が送受信される時間を計測する手段、該時間が短い場合には上記の音声信号を少なくとも１度以上再送し、該時間が長い場合は再送しないように切替える手段、とを持つことを特徴とする。
【０００９】
すなわち、本発明は、アクセスポイントと無線ＬＡＮ端末間で音声信号を送受信する無線ＬＡＮにおける伝送誤り改善方式において、単位時間内で無線が送受信される時間を測定し、該時間が短い場合には上記の音声信号を少なくとも１度再送し、該時間が長い場合は音声信号を再送しないことを特徴とする。
【００１０】
また、本発明は、アクセスポイントと無線ＬＡＮ端末間で音声信号を送受信する無線ＬＡＮを構成するアクセスポイントが、単位時間内で無線が送受信される時間を測定する手段と、単位時間内で無線が送受信される時間が予め定めた閾値より大きいか否かを判断する手段と、前記時間が前記閾値より小さい場合には上記音声信号を前記無線ＬＡＮ端末に少なくとも１度再送し、前記時間が前記閾値より大きい場合は上記音声信号を再送しないように切替える手段と、を持つことを特徴とする。
【００１１】
本発明は、アクセスポイントと無線ＬＡＮ端末間で音声信号を送受信する無線ＬＡＮを構成するアクセスポイントが、単位時間内で無線が送受信される時間を測定する手段と、単位時間内で無線が送受信される時間が予め定めた閾値より大きいか否かを判断する手段と、前記無線ＬＡＮ端末から受信した音声信号の伝送誤りの有無を判定する手段と、前記時間が前記閾値より小さい場合には上記伝送誤りがある音声信号送信した無線ＬＡＮ端末に再送要求を送信し、前記時間が前記閾値より大きい場合は上記再送要求を送信しないように切替える手段と、を持つことを特徴とする。
【００１２】
本発明は、アクセスポイントと無線ＬＡＮ端末間で音声信号を送受信する無線ＬＡＮを構成する無線ＬＡＮ端末が、前記アクセスポイントから受信した音声信号の伝送誤りを判定する手段と、受信した音声信号に伝送誤りがあるときにアクセスポイントに当該音声信号の再送を要求する手段と、再送された音声信号に伝送誤りがないときに先に受信した音声信号を後に受信した誤りのない音声信号に置き換える手段と、を持つことを特徴とする。
【００１３】
さらに、本発明は、アクセスポイントと無線ＬＡＮ端末間で音声信号を送受信する無線ＬＡＮを構成する無線ＬＡＮ端末が、前記アクセスポイントから音声信号の再送要求があったときに音声信号を再送する手段を持つことを特徴とする。
【発明の効果】
【００１４】
同時通話の無線ＬＡＮ端末数が少ない場合は無線の空いている時間に再送することにより、音声信号に対する伝送誤りの影響を軽減する。無線ＬＡＮ端末数が多くなり、無線が空いている時間が少なくなった場合は再送しないことにより、同時通話可能な無線ＬＡＮ端末数の最大値を大きく確保できる。
【発明を実施するための最良の形態】
【００１５】
以下、本発明の実施の形態について、図面を参照して詳細に説明する。図１は、本発明の実施の形態が適用される無線ＬＡＮを含むコンピュータネットワークシステム構成を示すシステム構成図である。図１において、このコンピュータネットワークシステムは、第１のＬＡＮと第２のＬＡＮとがＩＰ（Ｉｎｔｅｒｎｅｔ  Ｐｒｏｔｏｃｏｌ）網５によって接続されている。第１のＬＡＮは、無線ＬＡＮ端末１−１，１−２，１−３、アクセスポイント２−１，２−２、パソコン４−１，４−２、および、ルータ３−１によって構成されている。無線ＬＡＮ端末１−１，１−２，１−３は、ＩＥＥＥ８０２．１１に準拠して動作する無線ＬＡＮ通信機能を有する情報通信端末であって、例えば、パソコン等の情報処理装置、ＰＤＡ（Ｐｅｒｓｏｎａｌ  Ｄｉｇｉｔａｌ  Ａｓｓｉｓｔａｎｔ）等の情報端末、または、無線ＩＰ電話機等の電話端末であり、アクセスポイント２−１，２−２との間で無線ＬＡＮ通信を行う。
【００１６】
アクセスポイント２−１，２−２は、ＩＥＥＥ８０２．１１に準拠して動作する無線ＬＡＮ通信機能とＩＥＥＥ８０２．３に準拠して動作するイーサネット（登録商標）等の有線ＬＡＮ通信機能を有し、無線ＬＡＮ端末１−１，１−２，１−３との間で無線ＬＡＮ通信を行い、また、第１のＬＡＮに接続される他の通信装置（パソコン４−１，４−２、および、ルータ３−１等）とＬＡＮ通信を行うものである。
【００１７】
ルータ３−１は、第１のＬＡＮとＩＰ網５とに接続されており、第１のＬＡＮ上に流れるＩＰ（Ｉｎｔｅｒｎｅｔ  Ｐｒｏｔｏｃｏｌ）パケットおよびＩＰ網５から得たＩＰパケットを監視し、このＩＰパケットのＩＰヘッダ情報（宛先ＩＰアドレス情報やポート番号情報など）に基づきＩＰパケットをルーティングする通信装置であり、第１のＬＡＮ上に流れるＩＰパケットがＩＰ網５側にルーティングすべきものであると判断した場合は、これをＩＰ網５側に送出し、また、ＩＰ網５から得たＩＰパケットが第１のＬＡＮ側にルーティングすべきものであると判断した場合には、これを第１のＬＡＮ側に送出する。
【００１８】
さらに、パソコン４−１，４−２は、通常の有線用のＬＡＮボードを有するものであり、第１のＬＡＮに接続されてＩＰパケットを送受信し、ＩＰ通信（ＬＡＮ通信）を行うものである。
【００１９】
第２のＬＡＮは、第１のＬＡＮと同様の構成であり、無線ＬＡＮ端末１−４，１−５，１−６、アクセスポイント２−３，２−４、パソコン４−３，４−４、および、ルータ３−２によって構成されている。無線ＬＡＮ端末１−４，１−５，１−６は、ＩＥＥＥ８０２．１１に準拠して動作する無線ＬＡＮ通信機能を有する端末装置であって、パソコンやＰＤＡや無線ＩＰ電話装置等からなり、アクセスポイント２−３，２−４との間で無線ＬＡＮ通信を行う。
【００２０】
アクセスポイント２−３，２−４は、ＩＥＥＥ８０２．１１に準拠して動作する無線ＬＡＮ通信機能とＩＥＥＥ８０２．３に準拠して動作するイーサネット（登録商標）等の有線ＬＡＮ通信機能とを有し、無線ＬＡＮ端末１−４，１−５，１−６との間で無線ＬＡＮ通信を行い、また、第２のＬＡＮに接続される他の通信装置（パソコン４−３，４−４、および、ルータ３−２等）とＬＡＮ通信を行うものである。
【００２１】
ルータ３−２は、第２のＬＡＮとＩＰ網５とに接続されており、第２のＬＡＮ上に流れるＩＰパケットおよびＩＰ網５から得たＩＰパケットを監視し、このＩＰパケットのＩＰヘッダ情報（宛先ＩＰアドレス情報やポート番号情報など）に基づきＩＰパケットをルーティングする通信装置である。第２のＬＡＮ上に流れるＩＰパケットがＩＰ網５側にルーティングすべきものであると判断した場合は、これをＩＰ網５側に送出し、また、ＩＰ網５から得たＩＰパケットが第２のＬＡＮ側にルーティングすべきものであると判断した場合は、これを第２のＬＡＮ側に送出する。
【００２２】
さらに、パソコン４−３，４−４は、通常の有線用ＬＡＮボードを有するものであり、第１のＬＡＮに接続されてＩＰパケットを送受信し、ＩＰ通信（ＬＡＮ通信）を行うものである。
【００２３】
以上の構成により、第１のＬＡＮ側の無線ＬＡＮ端末１−１，１−１，１−３は、第１のＬＡＮ側の他の無線ＬＡＮ端末やパソコン４−１，４−２とＩＰ通信を行い、また、ルータ３−１、ＩＰ網５、および、ルータ３−２を経由して、第２のＬＡＮ側の無線ＬＡＮ端末１−４，１−５，１−６やパソコン４−３，４−４とＩＰ通信を行うことを可能な構成としている。
【００２４】
同様に、第２のＬＡＮ側の無線ＬＡＮ端末１−４，１−５，１−６は、第２のＬＡＮ側の他の無線ＬＡＮ端末やパソコン４−３，４−４とＩＰ通信を行い、また、ルータ３−２、ＩＰ網５、および、ルータ３−１を経由して、第１のＬＡＮ側の無線ＬＡＮ端末１−１，１−２，１−３やパソコン４−１，４−２とＩＰ通信を行うことを可能な構成としている。
【００２５】
次に、本発明が適用されるアクセスポイントの構成について説明する。図２は、本発明が適用されるアクセスポイント２−１，２−２，２−３，２−４の内部構成を示すブロック構成図である。
【００２６】
アクセスポイント２は、ルータ部２Ａと、無線部２Ｂとから構成される。無線部２Ｂは、アンテナ２１と、ＲＦ（Ｒａｄｉｏ  Ｆｒｅｑｕｅｎｃｙ）部２２と、ベースバンド部２３と、ＭＡＣ（Ｍｅｄｉａ  Ａｃｃｅｓｓ  Ｃｏｎｔｒｏｌｌｅｒ）層処理部２４と、通信処理部２０と、プログラムメモリ２０−１と、ワークメモリ２０−２とを備える。
【００２７】
ＲＦ部２２と、ベースバンド部２３と、ＭＡＣ層処理部２４は、バス２９を経由して通信処理部２０に接続される。そして、通信処理部２０は、プログラムメモリ２０−１内の制御プログラムや設定データに従い、ワークメモリ２０−２を使用しつつ、ＲＦ部２２と、ベースバンド部２３と、ＭＡＣ層処理部２４とを含む無線部２Ｂ全体を制御する。
【００２８】
このような構成において、ルータ部２Ａは、ネットワーク（第１のＬＡＮまたは第２のＬＡＮ）から受信したＩＰパケットのＩＰ（Ｉｎｔｅｒｎｅｔ  Ｐｒｏｔｏｃｏｌ）アドレスや、ＴＣＰ（Ｔｒａｎｓｍｉｓｓｉｏｎ  Ｃｏｎｔｒｏｌ  Ｐｒｏｔｏｃｏｌ）ポート番号またはＵＤＰ（Ｕｓｅｒ  Ｄａｔａｇｒａｍ  Ｐｒｏｔｏｃｏｌ）ポート番号を含むＩＰヘッダを参照して予め設定された規則に基づいて当該ＩＰパケットをルーティングするものである。無線部２Ｂに送出すべきＩＰパケットはＭＡＣ層処理部２４に送出する。
【００２９】
ＭＡＣ層処理部２４は、イーサネット（登録商標）規格であるＩＥＥＥ８０２．３のデータリンク層と無線ＬＡＮ規格であるＩＥＥＥ８０２．１１のデータリンク層との間で変換処理をするものである。
【００３０】
ベースバンド部２３は、ＩＥＥＥ８０２．１１用にＭＡＣ処理されたＩＰパケットをベースバンド信号に変調し、または、ベースバンド信号を復調して元のＩＰパケットに復元するものである。
【００３１】
ＲＦ部２２は、ベースバンド部２３から受信したベースバンド信号をＩＥＥＥ８０２．１１に従って、例えばＤＳ−ＳＳ（Ｄｉｒｅｃｔ  Ｓｅｑｕｅｎｃｅ  Ｓｐｒｅａｄ  Ｓｐｅｃｔｒｕｍ）方式やＦＨ−ＳＳ方式（Ｆｒｅｑｕｅｎｃｙ  Ｈｏｐｐｉｎｇ  Ｓｐｒｅａｄ  Ｓｐｅｃｔｒｕｍ）により規定される搬送無線周波数に載せてアンテナ２１から無線信号として送出させる。逆に、アンテナ２１から受信した無線信号から搬送無線周波数を除去して元のベースバンド信号に復元し、ベースバンド部２３に送出する。
【００３２】
次に、ＩＰパケットをネットワーク（第１のＬＡＮまたは第２のＬＡＮ）からアンテナ２１経由で送出する場合の動作を説明する。ＭＡＣ層処理部２４は、ネットワーク（第１のＬＡＮまたは第２のＬＡＮ）からルータ部２Ａ経由で受信したＩＰパケットのＭＡＣ層を、イーサネット（登録商標）用のＩＥＥＥ８０２．３から無線用のＩＥＥＥ８０２．１１に変換処理し、ベースバンド部２３に送出する。ベースバンド部２３は、受信したＩＰパケットをこれも無線用のＩＥＥＥ８０２．１１に従って変調してベースバンド信号を生成しＲＦ部２２に送出する。ＲＦ部２２は、ベースバンド部２３からのベースバンド信号を搬送無線周波数に載せ、アンテナ２１から無線信号として無線ＬＡＮ端末１−１，１−２，１−３，１−４，１−５，１−６に向けて送出する。
【００３３】
次に、無線ＬＡＮ端末から無線信号を受信する場合の動作を説明する。アンテナ２１は、無線ＬＡＮ端末１−１，１−２，１−３，１−４，１−５，１−６から受信した無線信号をＲＦ部２２に送出する。
【００３４】
ＲＦ部２２は無線信号から搬送無線周波数を除去して元のベースバンド信号に復元し、ベースバンド部２３に送出する。
【００３５】
ベースバンド部２３は、ベースバンドを復調して元のＩＰパケットに復元し、ＭＡＣ層処理部２４に送出する。
【００３６】
ＭＡＣ層処理部２４は、ＩＰパケットのＭＡＣ層を、無線用のＩＥＥＥ８０２．１１からイーサネット（商標登録）用のＩＥＥＥ８０２．３に変換処理し、ルータ部２Ａに送る。
【００３７】
ルータ部２Ａは、受信したＩＰパケットのＩＰアドレスなどを用いて、ＬＡＮなどに転送する。
【００３８】
次に、本発明が適用される無線ＬＡＮ端末の構成について説明する。図３は、本発明が適用される無線ＬＡＮ端末１−１，１−２，１−３，１−４，１−５，１−６の内部構成を示すブロック構成図である。
【００３９】
図３において無線ＬＡＮ端末は、情報通信端末部１Ａと無線部１Ｂとから構成される。無線部１Ｂは、アンテナ１１と、ＲＦ（Ｒａｄｉｏ  Ｆｒｅｑｕｅｎｃｙ）部１２と、ベースバンド部１３と、ＭＡＣ（Ｍｅｄｉａ  Ａｃｃｅｓｓ  Ｃｏｎｔｒｏｌｌｅｒ）層処理部１４と、上位層処理部１５と、端末インタフェース部１６と、通信処理部１０と、プログラムメモリ１０−１と、ワークメモリ１０−２とを備えている。
【００４０】
ＲＦ部１２と、ベースバンド１３と、ＭＡＣ層処理部１４と、上位層処理部１５と、端末インタフェース部１６は、バス１９を経由して通信処理部１０に接続されている。
【００４１】
通信処理部１０は、プログラムメモリ１０−１内の制御プログラムや設定データに従い、ワークメモリ１０−２を使用しつつ、ＲＦ部１２と、ベースバンド処理部１３と、ＭＡＣ層処理部１４と、上位層処理部１５と、端末インタフェース部１６とを含む無線部１Ｂ全体を制御している。
【００４２】
情報通信端末部１Ａは、パソコン等の情報処理装置、ＰＤＡ（Ｐｅｒｓｏｎａｌ  Ｄｉｇｉｔａｌ  Ａｓｓｉｓｔａｎｔ）等の情報端末またはＩＰ電話機等の電話端末であり、これら情報端末または電話端末から送られてきたデータや音声符号化信号を端末インタフェース部１６に送出し、または端末インタフェース部１６からのデータや音声符号化信号を受信し、情報端末または電話端末に送出する。
【００４３】
無線部１Ｂにおいて、端末インタフェース部１６は、情報通信端末部１Ａと無線部１Ｂと間を相互にデータや音声符号化信号を転送するためのインタフェースに係る処理をするものである。
【００４４】
上位層処理部１５は、ネットワーク層／トランスポート層に係るＩＰパケット処理を行い、ネットワーク層／トランスポート層間を伝送させるものであって、ＩＰアドレスやＴＣＰポート番号またはＵＤＰポート番号を含むＩＰヘッダの付与・削除の処理を行うものである。
【００４５】
ＭＡＣ層処理部１４は、データリンク層に係るＩＰパケット処理を行うもので、ＩＥＥＥ８０２．１１に従って、データや音声バケットデータが格納されたＩＰパケットを組立てしまたは分解し、データリンク層間を伝送させるためにＭＡＣアドレスの付与・削除の処理を行うものである。
【００４６】
ベースバンド部１３は、ＩＰパケットを変調してベースバンド信号を生成し、または、ベースバンド信号を復調して元のＩＰパケットを復元するものである。
ＲＦ部１２は、ベースバンド部１３から受信したベースバンド信号をＩＥＥＥ８０２．１１に従って搬送無線周波数に載せ、アンテナ１１から無線信号として送出する。逆に、アンテナ１１から受信した無線信号から搬送無線周波数を除去してベースバンド信号に復元し、ベースバンド部１３に送出するものである。
【００４７】
次に、情報通信端末部１Ａが生成したデータや音声符号化信号をアンテナ１１経由で送出する場合の動作を説明する。端末インタフェース部１６は、情報通信端末部１Ａからのデータや音声符号化信号を上位層処理部１５に送る。
上位層処理部１５は、ＩＰアドレス付与・ＴＣＰ／ＵＤＰポート番号の付与等のＩＰヘッダ処理を施してＩＰパケットを生成した後、ＭＡＣ層処理部１４に送出する。
【００４８】
ＭＡＣ層処理部１４は、上位層処理部１５からＩＰパケットにＩＥＥＥ８０２．１１の処理手順に従ったＭＡＣアドレス付与等のＭＡＣ処理を施し、ベースバンド部１３に送出する。
【００４９】
ベースバンド部１３は、受信したＩＰパケットをＩＥＥＥ８０２．１１に従って変調してベースバンド信号を生成し、ＲＦ部１２に送出する。
【００５０】
ＲＦ部１２は、ベースバンド部１３からのベースバンド信号をＩＥＥＥ８０２．１１に従って搬送無線周波数に載せ、アンテナ１１から無線信号としてアクセスポイント２−１，２−２，２−３，２−４に向けて無線で送出する。
【００５１】
次に、アクセスポイントから伝送された信号を受信し、情報通信端末部に出力する場合の動作を説明する。アンテナ１１が、アクセスポイント２−１，２−２，２−３，２−４から受信した無線信号をＲＦ部１２に送出する。
【００５２】
ＲＦ部１２は、受信した無線信号から搬送無線周波数を除去してベースバンド信号に復元し、ベースバンド部１３に送出する。
【００５３】
ベースバンド部１３は、受信したベースバンド信号を復調して元のＩＰパケットを復元し、ＭＡＣ層処理部１４に送出する。
【００５４】
ＭＡＣ層処理部１４は、受信したＩＰパケットからＩＥＥＥ８０２．１１に従ってＭＡＣアドレスを削除し、上位層処理部１５に送出する。
【００５５】
上位層処理部１５は、ＭＡＣ層処理部１４からのＩＰパケットから設定データに基づきＴＣＰ・ＵＤＰヘッダやＩＰヘッダの削除し、得られたデータや音声符号化信号を端末インタフェース部１６経由で情報通信端末部１Ａに送る。
【００５６】
次に、図４のタイムチャートを用いて、本発明の第１の実施例における、ＡＰから無線ＬＡＮ端末宛に音声信号を再送する場合の状況を説明する。
【００５７】
ここでは、ＡＰと２台の無線ＬＡＮ端末Ａ，Ｂ間で音声信号を送受信する例を示す。
（１）先ず、ＡＰから２台の無線ＬＡＮ端末Ａ，Ｂ宛に音声信号を順次送信する。音声信号を送信する周期は２０ｍｓとする。
（２）（１）に引き続いて２台の無線ＬＡＮ端末Ａ，ＢからＡＰ宛にそれぞれ音声信号を送信する。
（３）無線ＬＡＮ端末の台数が少ないので、（２）で無線ＬＡＮ端末Ａ，ＢからＡＰ宛に音声信号を送信してから、次にＡＰから無線ＬＡＮ端末宛に音声信号を送信するまでの残り時間が長く残る。
（４）そこで、ＡＰは、第１の実施例の特徴として、（１）で送信した音声信号を２台の無線ＬＡＮ端末Ａ，Ｂ宛に再送する。無線ＬＡＮ端末は、最初に受信した音声信号が正常に受信できた場合は、再送された音声信号を廃棄し、最初に受信した音声信号が正常に受信できなかった場合は、最初に受信した音声信号を再送された音声信号に置換する。
【００５８】
次に、図５を用いて本発明の第２の実施例における、ＡＰが無線ＬＡＮ端末にＡＰ宛音声信号の再送を要求し、無線ＬＡＮ端末が音声信号をＡＰ宛に再送する場合のタイムチャートを示す。
【００５９】
ここでもＡＰと２台の無線ＬＡＮ端末Ａ，Ｂ間で音声信号を送受する例を示す。
（１）先ずは、ＡＰから２台の無線ＬＡＮ端末Ａ，Ｂ宛に音声信号を送信する。送信する周期は２０ｍｓとする。
（２）（１）に引き続いて２台の無線ＬＡＮ端末Ａ，ＢからＡＰ宛に音声信号を送信する。
（３）ＡＰは、受信した音声信号を検査して、伝送誤りの有無を判定する。
（４）無線ＬＡＮ端末の台数が少ないので、（２）で無線ＬＡＮ端末Ａ，ＢからＡＰ宛に音声信号を送信してから、次にＡＰから無線ＬＡＮ端末Ａ，Ｂ宛に音声信号を送信するまでの残り時間が長く残る。
（５）そこで、ＡＰは、第２の実施例の特徴として、伝送誤りを検出した無線ＬＡＮ端末Ａに対して音声信号の再送を要求する。無線ＬＡＮ端末Ａは、再送要求に応じて（２）で送信した音声信号をＡＰ宛に再送する。ＡＰは、再送された音声信号を検査し、正常であれば最初に受信した音声信号を再送された音声信号に置換する。
【００６０】
次に、第１，２の実施例において、無線の送受信時間が長くて再送できない場合を、図６を用いて説明する。ここではＡＰと３台の無線ＬＡＮ端末Ａ，Ｂ，Ｃ間で音声信号を送受信する例を示す。
（１）先ずは、ＡＰから３台の無線ＬＡＮ端末Ａ，Ｂ，Ｃ宛に順次音声信号を送信する。音声信号を送信する周期は２０ｍｓとする。
（２）（１）に引き続いて３台の無線ＬＡＮ端末Ａ，Ｂ，ＣからＡＰ宛に音声信号を送信する。
（３）無線ＬＡＮ端末の台数が多いので、（２）で無線ＬＡＮ端末からＡＰ宛に音声信号を送信完了してから、次にＡＰから無線ＬＡＮ端末宛に音声信号を送信開始するまでの残り時間が短い。
（４）そこで、ＡＰは、第１、２の実施例の特徴として、無線の送受信時間が長いのでＡＰと無線ＬＡＮ端末の何れからも音声信号を再送しない。
【００６１】
次に、図７を用いて、第１の実施例におけるＡＰの動作を説明する。はじめに、音声を例えば２０ｍｓ周期で送受信するための音声タイマを起動する（Ｓ１）。次に、タイマフラグを‘０’にセットし、各無線ＬＡＮ端末宛に音声信号を送信し、各無線ＬＡＮ端末から音声信号を受信する（Ｓ２）。単位時間（例えば２０ｍｓ）中に無線で音声信号を送受信する時間を測定し、予め定めた閾値との長短を比較して無線伝送率が高いか低いかを判断する（Ｓ３）。単位時間中に無線で音声信号を送受信する時間が閾値よりも長い場合は、無線送受信時間が長い（無線伝送率が高い）として、再送しない。音声信号を相受信する時間が閾値よりも短い場合は、無線送受信時間が短い（伝送率が低い）として、ステップＳ２にてＡＰから無線ＬＡＮ端末宛に送信した音声信号を再送する（Ｓ４）。その後は、送受信すべきデータがあれば、無線を用いてデータを送受信する（Ｓ５）。その後、タイマフラグの状態を判定する（Ｓ６）。ステップＳ１で起動した音声タイマが時間満了となると割込みが発生し（Ｓ１１）、図の右側に示すように、音声タイマを起動し、タイマフラグを‘１’にセットする（Ｓ１２）。ステップＳ６の判定で、タイマフラグが‘１’ならステップＳ２に遷移して次の音声信号を送信する。タイマフラグが‘０’ならステップＳ５に遷移してデータを送受信する。
【００６２】
すなわち、この実施例のアクセスポイントは、単位時間内で無線が送受信される時間を測定する手段と、単位時間内で無線が送受信される時間が予め定めた閾値より大きいか否かを判断する手段と、前記時間が前記閾値より小さい場合には上記音声信号を前記無線ＬＡＮ端末に少なくとも１度再送し、前記時間が前記閾値より大きい場合は上記音声信号を再送しないように切替える手段とを有して構成される。
【００６３】
次に、図８を用いて、第１の実施例における無線ＬＡＮ端末の動作を説明する。はじめに、音声を例えば２０ｍｓ周期で送受信するための音声タイマを起動する（Ｓ２１）。この起動時期は、ＡＰからの音声信号の受信開始に合わせるのが望ましい。次に、タイマフラグを‘０’にセットし、ＡＰからの音声信号を受信し、ＡＰ宛に音声信号を送信する（Ｓ２２）。ＡＰから受信した音声信号に伝送誤りがあるか否かの検査を行い（Ｓ２３）、ＡＰから受信した音声信号が正常ならフラグを‘０’にリセットし（Ｓ２４）、正常ではない場合には‘１’にセットする（Ｓ２５）。その後は、必要に応じてデータを送受信し、再送された音声信号を受信する（Ｓ２６）。再送された音声信号を受信したかを判定し（Ｓ２７）、再送された音声信号を受信した場合（Ｙｅｓ）は伝送誤りフラグを検査し（Ｓ２８）、フラグが‘０’すなわちステップＳ２２で受信した音声信号が正常の場合は、ステップＳ２６で受信した音声信号を廃棄する（Ｓ２９）。伝送誤りフラグが‘１’すなわちステップＳ２２で受信した音声信号が正常ではなく、かつステップＳ２６で受信した音声信号が正常な場合は、ステップＳ２２で受信した音声信号をステップＳ２６で受信した音声信号に置換する（Ｓ３０）。ステップＳ２１で起動した音声タイマが時間満了となると、割込みが発生し（Ｓ４１）、音声タイマを起動し、タイマフラグを‘１’にセットする（Ｓ４２）。タイマフラグを判定して（Ｓ３０）、タイマフラグが‘１’ならステップＳ２２に遷移して次の音声信号を受信する。タイマフラグが‘０’ならステップＳ２６に遷移してデータの送受信や再送された音声信号を受信する。
【００６４】
すなわち、この実施例における無線ＬＡＮ端末は、アクセスポイントから受信した音声信号の伝送誤りを判定する手段と、受信した音声信号に伝送誤りがあるときにアクセスポイントに当該音声信号の再送を要求する手段と、再送された音声信号に伝送誤りがないときに先に受信した音声信号を後に受信した誤りのない音声信号に置き換える手段とを有して構成される。
【００６５】
次に、図９を用いて、第２の実施例におけるＡＰの動作を説明する。はじめに、例えば２０ｍｓ周期で音声を送受信するための音声タイマを起動する（Ｓ５１）。次に、タイマフラグを‘０’にセットし、各無線ＬＡＮ端末宛に音声信号を送信し、各無線ＬＡＮ端末から音声信号を受信し、各無線ＬＡＮ端末からの音声信号を検査し、伝送誤りの有無を判定する（Ｓ５２）。単位時間（ここでは２０ｍｓ）中に音声信号を無線で送受信する時間を求め、予め定めた閾値との長短を比較して無線伝送率が高いか低いかを判定する（Ｓ５３）。ステップＳ５３で、単位時間中に音声信号を無線で送受信する時間が閾値よりも長い（無線伝送率が高い）場合は、無線送受信時間が長いとして、再送する。閾値よりも短い（無線伝送率が低い）場合は、無線送受信時間が短いとして、ステップＳ５３にて受信した音声信号に伝送誤りが有ると判定した無線ＬＡＮ端末宛に再送要求を送信する（Ｓ５４）。当該無線ＬＡＮ端末から再送された音声信号を受信すると、再送された音声信号の正常性を判断し、再送された音声信号が正常な場合、ステップＳ５２で受信した音声信号を再送された音声信号に置換する（Ｓ５５）。その後は、送受すべきデータがあれば、無線を用いてデータを送受信する（Ｓ５６）。音声タイマが時間満了となると割込みが発生し（Ｓ６１）、音声タイマを起動し、タイマフラグを‘１’にセットする（Ｓ６２）。ステップＳ５６の後、タイマフラグを判定する（Ｓ５７）。タイマフラグが‘１’ならステップＳ５２に遷移して次の音声信号を送信する。タイマフラグが‘０’ならステップＳ５６に遷移してデータを送受信する。
【００６６】
すなわち、この実施例のアクセスポイントは、単位時間内で無線が送受信される時間を測定する手段と、単位時間内で無線が送受信される時間が予め定めた閾値より大きいか否かを判断する手段と、前記無線ＬＡＮ端末から受信した音声信号の伝送誤りの有無を判定する手段と、前記時間が前記閾値より小さい場合には上記伝送誤りがある音声信号送信した無線ＬＡＮ端末に再送要求を送信し、前記時間が前記閾値より大きい場合は上記再送要求を送信しないように切替える手段とを有して構成される
【００６７】
次に、図１０を用いて、第２の実施例における無線ＬＡＮ端末の動作を説明する。はじめに、音声を例えば２０ｍｓ周期で送受信するための音声タイマを起動する（Ｓ７１）。この起動時期は、例えばＡＰからの音声信号の受信開始に合わせるのが望ましい。次に、タイマフラグを‘０’にリセットし、ＡＰからの音声信号を受信し、ＡＰ宛に音声信号を送信する（Ｓ７２）。ステップＳ７２において、ＡＰから受信した音声信号の正常性を判定し、ＡＰから受信した音声信号が正常なら伝送誤りフラグを‘０’にリセットし、正常ではない場合は‘１’にセットする。その後は、必要に応じてデータを送受信し、ＡＰからの再送要求を受信する（Ｓ７３）。ＡＰからの再送要求を受信したか否かを判定し（Ｓ７４）、再送要求を受信した場合（Ｙｅｓ）はステップＳ７２で送信した音声信号をＡＰ宛に再送する（Ｓ７５）。音声タイマが時間満了となると、割込みが発生し（Ｓ８１）、音声タイマを起動し、タイマフラグを‘１’にセットする（Ｓ８２）。ステップＳ７４、ステップＳ７５の後タイマフラグを判定して（Ｓ７６）、タイマフラグが‘１’ならステップＳ７２に遷移して次の音声信号を受信する。タイマフラグが‘０’なら、ステップＳ７３に遷移してデータの送受信や再送要求を受信する。
【００６８】
すなわち、この実施例における無線ＬＡＮ端末は、前記アクセスポイントから音声信号の再送要求があったときに音声信号を再送する手段を有している。
【００６９】
以上の実施例１，２は、独立に適用しても良いし、同時に適用しても良いことは当然である。また、無線ＬＡＮ端末からの再送は、ＡＰからの再送要求にしたがう例を示した。これは、ＡＰは商用電源を用いているので、再送による送信電力の増加は大きな問題とならないが、無線ＬＡＮ端末は一般に電池で稼動するので毎回再送すると消費電力の増加による通話時間の減少の恐れがあることを考慮したからである。
【００７０】
無線ＬＡＮ端末の消費電力の問題が無い場合には、無線の送受信時間が少ない時に無線ＬＡＮ端末から毎回再送しても良いのは当然である。
【００７１】
なお、本発明は無線の送受信時間の長短すなわち無線伝送率の高低に従い音声信号の再送の可否を切替えているが、例えば、伝送誤りが非常に多くて音声信号を再送することが望ましい場合は、同時に通話する無線ＬＡＮ端末の台数を制限して無線の送受信時間を短縮し、音声信号の再送を可能としても良い。
【図面の簡単な説明】
【００７２】
【図１】一般的な無線ＬＡＮのシステム構成を説明する図。
【図２】無線ＬＡＮ端末のハ−ドウェア構成を説明する図。
【図３】ＡＰのハ−ドウェア構成を説明する図。
【図４】本発明の第１の実施例における音声送受信の音声を再送する場合を説明するタイムチャート。
【図５】本発明の第１の実施例における音声送受信の再送要求する場合を説明するタイムチャート。
【図６】本発明の第１第２の実施例における音声送受信の音声を再送しない場合を説明するタイムチャート。
【図７】本発明の第１の実施例におけるＡＰの動作を説明するフローチャート。
【図８】本発明の第１の実施例における無線ＬＡＮ端末の動作を説明するフローチャート。
【図９】本発明の第２の実施例におけるＡＰの動作を説明するフローチャート。
【図１０】本発明の第２の実施例における無線ＬＡＮ端末の動作を説明するフローチャート。
【符号の説明】
【００７３】
１：無線ＬＡＮ端末
２：アクセスポイント（ＡＰ）
３：ル−タ
４４：パソコン（有線ＬＡＮ端末）
５：インターネット（ＩＰ）網
１Ａ：情報通信端末部
１Ｂ：無線部
１０：通信処理部
１０−１：プログラムメモリ
１０−２：ワークメモリ
１１：アンテナ
１２：ＲＦ部
１３：ベースバンド部
１４：ＭＡＣ処理部
１５：上位層処理部
１６：端末インタフェース部
１９：バス
２Ａ：ルータ部
２Ｂ：無線部
２０：通信処理部
２０−１：プログラムメモリ
２０−２：ワークメモリ
２１：アンテナ
２２：ＲＦ部
２３：ベースバンド部
２４：ＭＡＣ処理部
２９：バス
【図１】
0004757576.tif 000002
【図２】
0004757576.tif 000003
【図３】
0004757576.tif 000004
【図４】
0004757576.tif 000005
【図５】
0004757576.tif 000006
【図６】
0004757576.tif 000007
【図７】
0004757576.tif 000008
【図８】
0004757576.tif 000009
【図９】
0004757576.tif 000010
【図１０】
0004757576.tif 000011